(57)【要約】  本出願は、連結器テレスコピック型装置及び連結器を提供する。連結器テレスコピック型装置は、ハウジングと、ハウジングに沿って伸長及び収縮させることができるドローバーとを備え、ハウジングが、ドローバーの外側にスリーブ状に配置されており、制限ブロックが、ドローバーの外面に固定的に配置されており、制限ブロックと接触することができるロックリングが、ハウジングの内側にスリーブ状に配置されており、ロックリングが、ハウジングと同軸であり、ハウジングに回転可能に接続されており、通過溝が、ロックリングの内面に軸方向に形成され、通過溝は、形状が制限ブロックに合致し、この結果、通過溝が制限ブロックと整列されたときに、制限ブロックが、通過溝を通過し、その後、ドローバーの伸長が、ドローバーの伸長が完了した後にロックリングを回転させて、制限ブロックを遮ることによって、ロックされる。連結器は、上記連結器テレスコピック型装置を備える。本出願は、スペースの占有を低減することができ、単純な構造を有する。【選択図】図１
2021520314.tif 000002
【特許請求の範囲】
【請求項１】
ハウジングと、前記ハウジングに沿って伸長及び収縮可能なドローバーと、を備え、前記ハウジングは、前記ドローバーの外側にスリーブ状に配置されており、制限ブロックが、前記ドローバーの外面に固定的に配置されており、前記制限ブロックと接触可能なロックリングが、前記ハウジングの内側にスリーブ状に配置されており、前記ロックリングは、前記ハウジングと同軸で且つ前記ハウジングに回転可能に接続されており、通過溝が、前記ロックリングの内面に軸方向に形成されており、前記通過溝は、形状が前記制限ブロックと合致しており、この結果、前記通過溝が前記制限ブロックと整列されたとき、前記制限ブロックは前記通過溝を通過し、その後、前記ドローバーの伸長が完了した後に前記ロックリングを回転させて前記制限ブロックを遮ることによって、前記ドローバーの伸長がロックされる、ことを特徴とする連結器テレスコピック型装置。
【請求項２】
複数の制限ブロックが存在し、前記複数の制限ブロックは、前記ドローバーの軸の周りに間隔を空けて配置されており、前記複数の制限ブロックに対応する複数の通過溝が存在する、ことを特徴とする請求項１に記載の連結器テレスコピック型装置。
【請求項３】
テレスコピックシリンダが、前記ハウジング内に配置されており、前記ハウジングに沿って伸長又は収縮するように前記ドローバーを駆動させるために、前記テレスコピックシリンダの２つの端部はそれぞれ前記ハウジング及び前記ドローバーに接続されている、ことを特徴とする請求項１に記載の連結器テレスコピック型装置。
【請求項４】
前記ドローバーはスリーブ状であり、前記ドローバーは前記テレスコピックシリンダの外側にスリーブ状に配置されており、前記テレスコピックシリンダの本体は、前記ハウジングに接続されており、前記ドローバーは、前記ハウジングから延出可能な延出端部を有し、前記テレスコピックシリンダのロッドは、前記ドローバーの前記延出端部に接続されている、ことを特徴とする請求項３に記載の連結器テレスコピック型装置。
【請求項５】
第１の穴が前記ハウジングの側方に形成されており、ロックピンが前記第１の穴内にスリーブ状に配置されており、第２の穴が前記ドローバーの外面に形成されており、前記第２の穴は前記第１の穴に合致しており、この結果、前記第２の穴は前記第１の穴と整列され、前記ロックピンは、前記ドローバーが収縮された後に前記ドローバーの収縮をロックするように、前記第２の穴に進入する、ことを特徴とする請求項１から４のいずれか一項に記載の連結器テレスコピック型装置。
【請求項６】
リンク機構アセンブリをさらに備え、前記リンク機構アセンブリは、前記第２の穴に進入する又は前記第２の穴から出る往復運動を実施するように前記ロックピンを駆動させるために、前記ロックピンに接続されており、前記リンク機構アセンブリは、前記ロックピンが前記第２の穴に進入するときに前記制限ブロックを遮るまで前記ロックリングを回転駆動させ、前記ロックピンが前記第２の穴から出るときに前記通過溝が前記制限ブロックと整列されるまで前記ロックリングを回転駆動させるように、前記ロックリングに接続されている、ことを特徴とする請求項５に記載の連結器テレスコピック型装置。
【請求項７】
前記リンク機構アセンブリは、回転アームと、プーリブロックと、牽引ロープと、弾性部材と、を備え、前記回転アームは、前記ハウジングの外壁に回転可能に接続されており、前記回転アームは、回転によって前記第２の穴に進入する又は前記第２の穴から出る往復運動を実施するように前記ロックピンを駆動させるために、前記ロックピンに接続されており、前記プーリブロックは、前記ハウジングの前記外壁に固定的に配置されており、前記牽引ロープの一端部は、前記回転アームに接続されており、前記牽引ロープの他端部は、前記プーリブロックの周りを回って前記弾性部材に接続されており、前記ロックリングは、前記牽引ロープの駆動下で前記回転アームと同期して回転するように、前記牽引ロープに固定的に接続されており、前記弾性部材は、前記牽引ロープの移動に伴って伸長又は収縮するように、前記ハウジングに固定的に接続されている、ことを特徴とする請求項６に記載の連結器テレスコピック型装置。
【請求項８】
アンロックシリンダが、前記ハウジングの前記外壁に固定的に配置されており、前記アンロックシリンダは、前記回転アームを回転駆動させるために、前記回転アームに接続されている、ことを特徴とする請求項７に記載の連結器テレスコピック型装置。
【請求項９】
アンロックハンドルが、前記回転アームを回転駆動させるために、前記回転アームに固定的に接続されている、ことを特徴とする請求項７又は８に記載の連結器テレスコピック型装置。
【請求項１０】
テレスコピック型装置を含み、前記テレスコピック型装置が、請求項１から９のいずれか一項に記載の前記連結器テレスコピック型装置である、連結器。
【発明の詳細な説明】
【技術分野】
【０００１】
本出願は、鉄道車両の連結に関する技術分野に属し、連結器テレスコピック（入れ子）型装置及び連結器に特に関する。
【背景技術】
【０００２】
列車連結器の主要部品として、テレスコピック型装置は、列車の運転中に、２つの動作（すなわち、連結器を伸長させること及び収縮させること）のスムーズな完了を保証することができる。連結器が、伸長又は収縮された後に、そのときの状態を保つことができるようにするためには、テレスコピック型装置は、適切なロック機構を有することが要求される。連結器のための既存の自動連結器テレスコピック型装置は、（１）構造が単純であるが受圧断面積が小さいラッチ、（２）構造が比較的単純であるが、接触面が、異なる半径を有する２つの曲面であるため、長時間では接触面が摩耗及び変形しやすいブロック、及び（３）スプライン、によって主にロックされる。
【０００３】
特許文献１は、一端部が可動ハウジングに接続された連結器緩衝装置の可動ハウジングの内側に配置された、受圧ロッドと、受圧ロッドにスリーブ状に配置された、荷重支持継手とを備える、高速電車のためのテレスコピック型連結器緩衝装置のテレスコピック型機構であって、案内ドラムが、荷重支持継手の外側に固定的に取り付けられており、テレスコピック型駆動機構が、案内ドラムと可動ハウジングとの間に配置されており、受圧ロッドの端部はトーションバネを介して可動ハウジングに接続されており、受圧ロッド及び荷重支持継手はロック状態に保たれており、ロック機構が、受圧ロッドの他端部に配置され且つ間隔を空けて分配された複数の突起と、荷重支持継手の内壁に形成され且つ突起と嵌合される複数の溝と、を備え、突起及び溝は等間隔で分配されており、複数の突起は形状が同じであり、複数の溝は形状が同じであり、突起が溝に合致する場合、受圧ロッド及び荷重支持継手はアンロックされ、互いに対してスライドすることができ、アンロック用駆動機構が、可動ハウジングの外側に配置されており、アンロック用駆動機構は、受圧ロッドに固定的に取り付けられ且つ受圧ロッドを回転駆動させることができるスチールワイヤーロープを備え、制限ストッパが、荷重支持継手に溝に配置されている、高速電車のためのテレスコピック型連結器緩衝装置のテレスコピック型機構を開示している。
【先行技術文献】
【特許文献】
【０００４】
【特許文献１】ＣＮ１０２４２４０５７Ａ
【発明の概要】
【０００５】
しかしながら、上記テレスコピック型機構においては、受圧ロッドが存在するため、テレスコピック型駆動機構は、ハウジングの外側にのみ配置することが可能であり、大きなスペースの占有及び複雑な構造という欠点が生じる。
【０００６】
既存のテレスコピック型機構における技術的課題を鑑みて、本出願は、スペースの占有を低減することができ、簡素な構造を有する、連結器テレスコピック型装置を提供し、連結器テレスコピック型装置を用いた連結器も提供する。
【０００７】
この目的のために、本出願は、次の技術的解決策を採用する。
【０００８】
ハウジングと、ハウジングに沿って伸長及び収縮可能なドローバーとを備え、ハウジングは、ドローバーの外側にスリーブ状に配置されており、制限ブロックが、ドローバーの外面に固定的に配置されており、制限ブロックと接触することができるロックリングが、ハウジングの内側にスリーブ状に配置されており、ロックリングは、ハウジングと同軸で且つハウジングに回転可能に接続されており、通過溝が、ロックリングの内面に軸方向に形成されており、通過溝は、形状が制限ブロックに合致しており、この結果、通過溝が制限ブロックと整列されたときに、制限ブロックが通過溝を通過し、その後、ドローバーの伸長が完了した後にロックリングを回転させて制限ブロックを遮ることによって、ドローバーの伸長がロックされる、連結器テレスコピック型装置。
【０００９】
好ましくは、複数の制限ブロックが存在し、複数の制限ブロックは、ドローバーの軸の周りに間隔を空けて配置されており、複数の制限ブロックに合致する複数の通過溝が存在する。
【００１０】
好ましくは、テレスコピックシリンダは、ハウジング内に配置されており、ハウジングに沿って伸長又は収縮するようにドローバーを駆動させるために、テレスコピックシリンダの２つの端部はそれぞれハウジング及びドローバーに接続されている。
【００１１】
好ましくは、ドローバーはスリーブ状であり、ドローバーは、テレスコピックシリンダの外側にスリーブ状に配置されており、テレスコピックシリンダの本体はハウジングに接続されており、ドローバーは、ハウジングから延出可能な延出端部を有し、テレスコピックシリンダのロッドは、ドローバーの延出端部に接続されている。
【００１２】
好ましくは、第１の穴がハウジングの側方に形成されており、ロックピンが、第１の穴の内側にスリーブ状に配置されており、第２の穴は、ドローバーの外面に形成されており、第２の穴は、第１の穴に合致しており、この結果、第２の穴が第１の穴と整列（整合）され、ドローバーが収縮された後に、ドローバーの収縮をロックするようにロックピンが第２の穴に進入する。
【００１３】
好ましくは、本出願によって提供される連結器テレスコピック型装置は、リンク機構アセンブリをさらに備え、リンク機構アセンブリは、第２の穴に進入する又は第２の穴から出る往復運動を実施するようにロックピンを駆動させるために、ロックピンに接続されており、リンク機構アセンブリは、ロックピンが第２の穴に進入したときに制限ブロックを遮るまでロックリングを回転駆動させ、ロックピンが第２の穴から出たときに通過溝が制限ブロックと整列されるまでロックリングを回転駆動させるように、ロックリングに接続されている。
【００１４】
好ましくは、リンク機構アセンブリは、回転アームと、プーリブロックと、牽引ロープと、弾性部材と、を備え、回転アームは、ハウジングの外壁に回転可能に接続されており、回転アームは、回転によって第２の穴に進入する又は第２の穴から出る往復運動を実施するようにロックピンを駆動させるために、ロックピンに接続されており、プーリブロックは、ハウジングの外壁に固定的に配置されており、牽引ロープの一端部は、回転アームに接続されており、牽引ロープの他端部は、プーリブロックの周りを回って弾性部材に接続されており、ロックリングは、牽引ロープの駆動下で回転アームと同期して回転するように、牽引ロープに固定的に接続されており、弾性部材は、牽引ロープの移動に伴って伸長又は収縮するように、ハウジングに固定的に接続されている。
【００１５】
好ましくは、アンロックシリンダは、ハウジングの外壁に固定的に配置されており、アンロックシリンダは、回転アームを回転駆動させるために、回転アームに接続されている。
【００１６】
好ましくは、アンロックハンドルは、回転アームを回転駆動させるために、回転アームに固定的に接続されている。
【００１７】
テレスコピック型装置を備える、連結器が提供され、テレスコピック型装置は、上述した連結器テレスコピック型装置である。
【００１８】
従来技術と比較して、本出願は、次の利点及び良い効果を有する。
【００１９】
１．本出願によって提供される連結器テレスコピック型装置において、ドローバーの外側に制限ブロックを固定的に配置し、ハウジング内にロックリングを回転可能に配置することによって、ドローバーがハウジングから延出したときに、ドローバーは、ロックリングを回転させることのみによってロックすることができる。したがって、既存のテレスコピック型機構と比較して、ハウジングの内部構造が簡素化されており、ハウジングの内部のスペースが節減されており、外部駆動構造体をハウジング内に配置し、スペースの占有を低減することが有利である。
【００２０】
２．本出願によって提供される連結器テレスコピック型装置において、ロックピンを用いることによって、収縮された又は伸長された状態のドローバーは、それぞれロックピン及びロックリングによってロックされ得る。ロックリング及びドローバーは、伸長ロック中により大きな力を支えるために使用されるスプライン式ロック機構（キー溝式ロック機構）を形成し、ロックピン及びドローバーは、構造が簡素であり、収縮ロック中により小さな力を支えるために使用される、ラッチ式ロック機構を形成する。したがって、本出願によって提供される連結器テレスコピック型装置を用いた場合、構造がさらに簡素化され、連結器を伸長又は収縮させる効率が改善される。
【００２１】
３．本出願によって提供される連結器テレスコピック型装置において、リンク機構アセンブリを用いることによって、ロックピン及びロックリングは、同期的に駆動されて移動することができる。したがって、一方では、駆動要素の数が削減され、構造がさらに簡素化され、他方では、ロックピン及びロックリングの移動の制御が簡素化され、連結器を伸長又は収縮させる効率が、さらに改善される。
【図面の簡単な説明】
【００２２】
【図１】ドローバーが伸長された後の、本出願の一実施形態による連結器テレスコピック型装置の内部構造図である。
【図２】ドローバーが収縮された後の図１の状態図である。
【図３】図１の外部構造図である。
【図４】本出願の実施形態による連結器テレスコピック型装置の分解立体図である。
【図５】本出願の実施形態によるドローバーの概略構造図である。
【図６】本出願の実施形態によるロックリングの概略構造図である。
【図７】制限ブロックとロックリングとが協働する様式を示している概略図である。
【図８】ロック状態のリンク機構アセンブリ７の概略構造図である。
【図９】アンロック状態のリンク機構アセンブリ７の概略構造図である。
【００２３】
１：ハウジング、１１：第１の穴、１２：シュート、２：ドローバー、２１：第２の穴、３：制限ブロック、４：ロックリング、４１：通過溝、４２：同期要素、５：テレスコピックシリンダ、５１：テレスコピックシリンダの本体、５２：テレスコピックシリンダのロッド、６：ロックピン、７：リンク機構アセンブリ、７１：回転アーム、７１１：貫通長孔、７２：プーリブロック、７３：牽引ロープ、７４：弾性部材、８：アンロックシリンダ、９：アンロックハンドル、１０：ヒンジブロック。
【発明を実施するための形態】
【００２４】
以下、例示的な実施形態によって本出願を詳しく記述する。しかしながら、一実施形態における要素、構造及び特徴は、さらなる説明なしでも他の実施形態に有利に統合され得ることを理解すべきである。
【００２５】
本出願の記述において、（１）本出願における固定接続は、着脱可能な固定接続であってもよいし、又は一体的な固定接続であってもよいこと、（２）「内側」、「外側」、「上側」、「下側」、「前側」又は「後側」等の用語によって指し示される向き又は位置関係は、指定された装置又は要素が、特定の向きに向いていなければならないことを示す又は暗に意味するのではなく、又は、特定の向きに構築及び操作されなければならないことを示す又は暗に意味するのではなく、単に本出願の記述及び記述の簡略化を目的として添付の図面によって示されている向き又は位置関係であり、したがって、これらの用語は、本出願に対する限定として解釈されるべきでないこと、並びに、（３）「第１」及び「第２」という用語は、単に説明用のものであり、相対的な重要性を示す又は暗に意味するものとして解釈され得ないことに留意すべきである。
【００２６】
本出願の一実施形態によって提供される連結器テレスコピック型装置は、ハウジング１と、ハウジング１に沿って伸長及び収縮可能なドローバー２とを備える。ハウジング１は、ドローバー２の外側にスリーブ状に配置されており、ドローバー２は、ハウジング１と同軸であり、ドローバー２は、ハウジング１に沿って伸長又は収縮するためにハウジング１に滑りばめされた状態である。
【００２７】
図１〜図３は、本出願の実施形態の連結器テレスコピック型装置の構造図であり、図１は、ドローバー２が伸長した状態の概略図であり、図２は、ドローバー２が収縮した状態の概略図である。図１及び図２において、ハウジング１の一部及びドローバー２の一部は、内部の部品間の取付関係を明瞭に示すために取り除かれている。図３は、外部構造図であり、図４は、連結器テレスコピック型装置の分解組立図である。
【００２８】
図５は、本出願の実施形態によるドローバー２の構造を示している。スペースの占有を低減するため及び構造を簡素化するために、制限ブロック３は、ドローバー２の外面２に固定的に配置されており、制限ブロック３と接触することができるロックリング４は、ハウジング１の内側にスリーブ状に配置されている。図１及び図４に示されているように、ロックリング４は、ハウジング１と同軸であり、ハウジング１に回転可能に接続されている。ロックリングの構造は、図５に示されている。通過溝４１は、ロックリング４の内面に軸方向に形成されており、通過溝４１の形状は制限ブロック３の形状に合致しており、例えば、通過溝４１と制限ブロック３とは、キー−溝嵌合方式で接続されてもよく、この結果、通過溝４１が制限ブロック３と一直線に整列されたときに、制限ブロック３が通過溝４１を通過し、その後、ドローバーの伸長が完了した後に、ロックリング４を回転させて制限ブロック３を遮ることによってドローバー２の伸長はロックされる。
【００２９】
具体的には、制限ブロック３とロックリング４との嵌め合い様式が、図７に示されている。制限ブロック３とロックリング４との嵌め合い関係を明瞭に示すために、他の部品は省略されている。図７ａでは、制限ブロック３は、ロックリング４の通過溝４１と整列しており、ドローバー２が延出する（ロックリング４から離れていく）と、制限ブロック３は通過溝４１を通過する。図７ｂに示されているように、ロックリング４は、通過溝４１を制限ブロック３に対してずらすように回転され、その結果、ロックリング４に向かう制限ブロック３の移動を制限し、これによりドローバー２の伸長をロックする。逆に、ドローバー２が収縮されるべき場合、ロックリング４は、制限ブロック３が通過溝４１と整列するように回転され、この結果、ドローバー２は、通過溝４１を通過した後に、ハウジング１の中に入るように収縮され得る。
【００３０】
上記に基づいて、本出願によって提供される連結器テレスコピック型装置において、ドローバー２の外側に制限ブロック３を固定的に配置し、ハウジング１内にロックリング４を回転可能に配置することによって、ドローバー２がハウジング１から伸長するときに、ドローバー２は、ロックリング４を回転させることのみによってロックすることができる。したがって、既存のテレスコピック型機構と比較して、ハウジング１の内部構造が簡素化されており、ハウジング１の内部のスペースが節約され、外部駆動構造体をハウジング１内に配置し、スペースの占有を低減することが有利である。
【００３１】
図５に示されているように、ロックリング４による制限ブロック３のロックの安定性を改善するために、ドローバー２の軸の周りに間隔を空けて配置された複数の制限ブロック３が存在することが好ましい。例えば、制限ブロック３は、ドローバー２の軸の周りに円形配列として配置されている。これに対応して、図６に示されているように、複数の制限ブロック３に合致する複数の通過溝４１が存在する。したがって、ドローバー２の正常な伸長又は収縮に影響を与えることなく、ロックリング４と制限ブロックとの接触面積を増大させることができ、ロックリング４による制限ブロック３のロックの安定性を改善することができる。
【００３２】
スペースの占有を低減する効果の特定の形態の観点では、図１及び図２に示されているように、テレスコピックシリンダ５はハウジング１内に配置されており、ハウジング１に沿って伸長又は収縮するようにドローバー２を駆動させるために、テレスコピックシリンダ５の２つの端部はそれぞれハウジング１及びドローバー２に接続されている。
【００３３】
好ましくは、ドローバー２は、スリーブ状であり、このため、図２を参照すると、ドローバー２は、ドローバー２が収縮されたとき、テレスコピックシリンダ５の外側にスリーブ状に配置される。テレスコピックシリンダ５の本体５１は、ハウジング１に接続されており、ドローバー２は、ハウジング１から延出可能な延出端部を有し、テレスコピックシリンダ５のロッド５２は、ドローバー２の伸長又は収縮を制御するためにドローバー２の延出端部に接続されている。
【００３４】
具体的には、さらに、図１及び図２に示されているように、テレスコピックシリンダ５の本体５１は、ハウジング１と同軸であり、テレスコピックシリンダ５の本体５１は、球面滑り軸受を介してハウジング１に接続されている。また、テレスコピックシリンダ５のロッド５２は、球面滑り軸受を介してドローバー２に接続されており、この結果、テレスコピックシリンダ５は回転自在であり、したがって、伸長中の曲げモーメントによって発生するテレスコピックシリンダ５の損傷を回避できる。
【００３５】
構造をさらに簡素化するために、図１〜図３に示されているように、第１の穴１１が、ハウジング１の側方に形成されており、ロックピン６は、第１の穴１１の内側にスリーブ状に配置されており、第２の穴２１が、ドローバー２の外面に形成されており、第２の穴２１は、第１の穴１１に合致し、この結果、第２の穴は、第１の穴と整合しており、図２に示されているように、ロックピン６は、ドローバーが収縮された後に、ドローバー２の収縮をロックするように第２の穴に進入する。
【００３６】
上記に基づいて、本出願の実施形態によって提供される連結器テレスコピック型装置では、ロックピン６を用いることによって、収縮された状態又は伸長された状態のドローバー２は、それぞれロックピン６及びロックリング４によってロックされ得る。ロックリング４及びドローバー２は、伸長ロック中により大きな力を支えるために使用されるスプライン式ロック機構を形成し、ロックピン６及びドローバー２は、構造が簡素であり、収縮ロック中により小さな力を支えるために使用される、ラッチ式ロック機構を形成する。したがって、本出願によって提供される連結器テレスコピック型装置を用いた場合、構造がさらに簡素化され、連結器を伸長又は収縮させる効率が改善される。
【００３７】
連結器を伸長又は収縮させる効率をさらに改善するために、好ましい一実施形態として、図１及び図３に示されているように、連結器テレスコピック型装置は、リンク機構アセンブリ７をさらに備え、リンク機構アセンブリ７は、第２の穴内に進入する又は第２の穴から出る往復運動を実施するようにロックピン６を駆動させるために、ロックピン６に接続されており、リンク機構アセンブリ７はロックリング４に接続されており、それにより、ロックピン６が第２の穴に進入したときにロックリング４が制限ブロック３を遮るまで回転するようにロックリング４は駆動され、ロックピン６が第２の穴から出たときに通過溝が制限ブロック３と整列するまで回転するようにロックリング４は駆動される。
【００３８】
上記に基づいて、本出願の実施形態によって提供される連結器テレスコピック型装置において、リンク機構アセンブリ７を設けることによって、ロックピン６及びロックリング４は、同期的に駆動されて移動することができる。したがって、一方では、駆動要素の数が削減され、構造がさらに簡素化され、他方では、ロックピン６及びロックリング４の動作の制御が簡素化され、連結器を伸長又は収縮させる効率が、さらに改善される。
【００３９】
リンク機構アセンブリ７の構造は、次のとおりであってもよい。図１〜図３に示されているように、リンク機構アセンブリ７は、回転アーム７１と、プーリブロック７２と、牽引ロープ７３と、弾性部材７４とを備え、回転アーム７１は、ハウジング１の外壁に回転可能に接続されており、回転アーム７１は、回転によって第２の穴２１内に進入する又は第２の穴２１から出る往復運動を実施するようにロックピン６を駆動させるために、ロックピン６に接続されており、プーリブロック７２は、ハウジング１の外壁に固定的に配置されており、牽引ロープの一端部７３は、回転アーム７１に接続されており、牽引ロープの他端部７３は、プーリブロックの周りを回って弾性部材７４に接続されており、ロックリング４は、牽引ロープ７３の駆動下で回転アーム７１と同期して回転するように、牽引ロープ７３に固定的に接続されており、弾性部材７４は、牽引ロープ７３の移動に伴って伸長又は収縮するように、ハウジング１に固定的に接続されている。
【００４０】
特には、図１〜図３をさらに参照すると、回転アーム７１は、好ましくは、レバーであり、ヒンジブロック１０は、回転アーム７１の回転中心でヒンジ接続されており、ヒンジブロック１０は、ハウジング１の外壁に固定的に接続されており、回転アーム７１の一端部は、回転アーム７１を自動的に回転駆動させるために、アンロックシリンダ８に接続されている。
【００４１】
アンロックシリンダ８は、ハウジング１の外壁に配置されており、アンロックシリンダ８の本体は、ハウジング１にヒンジ接続されており、アンロックシリンダ８のロッドは、回転アーム７１にヒンジ接続されており、回転アーム７１の他端部は、牽引ロープ７３及びアンロックハンドル９に固定的に接続されている。アンロックハンドル９は、アンロックシリンダ８が作動しない場合に、回転アーム７１を、手動駆動方式で回転駆動させるために使用される。
【００４２】
貫通長孔７１１が、回転アーム７１の長さ方向に、回転アーム７１の回転中心の側（回転アーム７１がロックピン６にヒンジ接続されている位置）に形成される。ロックピン６は回転軸を有し、ロックピン６の回転軸は、回転アーム７１の貫通長孔７１１内に挿入されており、これにより、回転アーム７１の回転中に、回転アーム７１の貫通長孔に沿って回転アーム７１に対して往復運動する。
【００４３】
図３に示されているように、プーリブロック７２は、３個のプーリを備え、３個のプーリは、三角形状に配置されており、１個のプーリは、回転アーム７１の側に配置されており、他の２個のプーリは、ロックリング４の側に配置されており、牽引ロープ７３は、回転アーム７１から３個のプーリの回りを順次回って、弾性部材７４に固定的に接続されている。弾性部材７４は、好ましくは、伸縮バネであり、弾性部材７４の２つの端部はそれぞれ牽引ロープ７３及びハウジング１に固定的に接続されている。
【００４４】
図８は、ロック状態のリンク機構アセンブリ７の概略構造図であり、図８ａは、立体的な図であり、図８ｂは、図８ａの左側の図である。図９は、アンロック状態のリンク機構アセンブリ７の概略構造図であり、図９ａは、立体的な図であり、図９ｂは、図９ａの左側の図であり、図９ｃは、Ａ−Ａに沿った断面図である。
【００４５】
図８ａ及び図９ａに示されているように、シュート１２は、ロックリング４に対応するハウジング１の外壁に形成され、シュート１２は、ハウジング１の厚さ方向に、ハウジング１に延在しており、シュートは、弧状であり、ロックリング４は、同期要素４２に固定的に接続されており、同期要素４２は、シュート１２に沿った往復運動をするように、シュート１２に滑りばめされており、同期要素４２は、牽引ロープ７３の往復運動をロックリング４に伝達するために牽引ロープ７３に固定的に接続されており、それにより、ロックリング４の往復運動が実現される。
【００４６】
本出願の実施形態の動作原理をより明瞭に説明するために、図１及び図２並びに図８及び図９を参照しながら、次の詳細な記述が与えられる。
【００４７】
１．伸長ロック
図２に示されているように、ドローバー２は、完全に収縮されている。このとき、ロックピン６はロック位置にあり、ドローバー２と共にラッチ式ロックを形成する。このとき、リンク機構アセンブリ７の状態は、図８に示されている（しかしながら、このとき、ドローバー２が収縮された状態であることが、図８とは異なる）。
【００４８】
アンロックシリンダ８を収縮させる又はアンロックハンドル９を引っ張ることによって、回転アーム７１は、ドローバー２からロックピン６を引っ張り出すように、回転駆動される。このとき、リンク機構アセンブリ７の状態は、図８から図９に変化する（しかしながら、このとき、ドローバー２がまだ伸長されていないことが、図９とは異なる）。また、回転アーム７１は、牽引ロープ７３を引っ張り、この結果、同期要素４２が、シュート１２の一方側から他方側に移動し、同期要素４２は、制限ブロック３が通過溝４と整列するように、ロックリング４を回転駆動させる。このとき、ロックリング４とロックピン６との両方が、アンロック位置に到達する。
【００４９】
テレスコピックシリンダ５が伸長し、これにより、ドローバー２は伸長するように駆動される。この工程の間、制限ブロック３は、通過溝４１をスムーズに通過する（図７を参照）。ドローバー２が所定の位置に伸長された後、アンロックシリンダ８がリセットされ、又はアンロックハンドル９が解放される。弾性部材７４の機能によって、ロックリング４及びロックピン６は、ロック位置に戻され、すなわち、リンク機構アセンブリ７は、図８に示された状態に戻される。制限ブロック３は、ロックリング４の通過溝に対してずれており、ドローバー２は収縮することができず、この結果、伸長ロックが実現される。このとき、連結器テレスコピック型装置の状態は、図１に示されている。
【００５０】
２．収縮ロック
図１に示されているように、ドローバー２は、完全に伸長される。このとき、ロックピン６はロック位置にあり、ドローバー２と共にスプライン式ロックを形成する。このとき、リンク機構アセンブリ７の状態は、図８に示されている。
【００５１】
アンロックシリンダ８を収縮させる又はアンロックハンドル９を引っ張ることによって、回転アーム７１が、ドローバー２からロックピン６を引っ張り出すように、回転駆動される。このとき、リンク機構アセンブリ７の状態は、図８から図９に変化する。また、回転アーム７１は、牽引ロープ７３を引っ張り、この結果、同期要素４２が、シュート１２の一方側から他方側に移動し、同期要素４２は、制限ブロック３が通過溝４１と整列するようにロックリング４を回転駆動させる。このとき、ロックリング４とロックピン６との両方が、アンロック位置に到達する。
【００５２】
テレスコピックシリンダ５が収縮され、これにより、ドローバー２は収縮するように駆動される。この工程の間に、制限ブロック３は、通過溝４１をスムーズに通過する。ドローバー２が所定の位置に収縮された後、アンロックシリンダ８がリセットされ、又はアンロックハンドル９が解放される。弾性部材７４の機能によって、ロックリング４及びロックピン６がロック位置に戻され、すなわち、リンク機構アセンブリ７が、図８に示された状態に戻される（しかしながら、このとき、ドローバー２が収縮された状態であることが、図８とは異なる）。そして、ロックピン６は、ドローバー２と共にラッチ式ロックを再び形成し、ドローバー２は伸長することができず、したがって、収縮ロックが実現される。このとき、連結器テレスコピック型装置の状態は、図２に示されている。
【００５３】
本出願の別の実施形態は、テレスコピック型装置を備える、連結器をさらに提供する。テレスコピック型装置の厳密な構造については、上記実施形態を参照する。連結器が、上記実施形態におけるすべての技術的解決策を採用するため、連結器は少なくとも、上記実施形態における技術的解決策によってもたらされるすべての有益な効果を達成するが、ここでは、繰り返し述べられない。
【図１】
2021520314.tif 000003
【図２】
2021520314.tif 000004
【図３】
2021520314.tif 000005
【図４】
2021520314.tif 000006
【図５】
2021520314.tif 000007
【図６】
2021520314.tif 000008
【図７ａ】
2021520314.tif 000009
【図７ｂ】
2021520314.tif 000010
【図８ａ】
2021520314.tif 000011
【図８ｂ】
2021520314.tif 000012
【図９ａ】
2021520314.tif 000013
【図９ｂ】
2021520314.tif 000014
【図９ｃ】
2021520314.tif 000015
【国際調査報告】
2021520314.tif 000016
2021520314.tif 000017
2021520314.tif 000018
2021520314.tif 000019